【手続補正書】
【提出日】平成26年2月14日(2014.2.14)
【手続補正１】
【補正対象書類名】特許請求の範囲
【補正対象項目名】全文
【補正方法】変更
【補正の内容】
【特許請求の範囲】
【請求項１】
記録装置と制御装置とを備える制御システムであって、
前記記録装置は、
記憶部を有するインクカートリッジを装着する装着部と、
前記インクカートリッジから供給されるインクを記録媒体に付着させることにより記録を行う記録ヘッドと、
前記記録に関連する情報である関連情報を前記インクカートリッジの前記記憶部に書き込む情報書込部と、を有し、
前記制御装置は、
前記インクカートリッジの前記記憶部から第１関連情報を読み取る情報読取部と、
前記記録装置と通信可能なものであり、前記記録装置から前記情報書込部により書き込まれた第２関連情報を取得する情報取得部と、
前記情報読取部により読み取られた前記第１関連情報と、前記情報取得部により取得された前記第２関連情報とを照合する情報照合部と、
前記情報照合部による照合の結果、前記第１関連情報と前記第２関連情報の間の少なくとも一部に同一性があると判別された場合、前記第１関連情報または前記第２関連情報に基づき課金情報を生成する制御部と、
を有することを特徴とする制御システム。
【請求項２】
前記記録装置は、前記記録ヘッドによる、少なくとも前記記録媒体に付着し消費されたインクを含むインク消費量を検出するインク消費量検出部をさらに備え、
前記記録装置の前記情報書込部は、前記関連情報として、前記インク消費量検出部が検出したインク消費量を含む情報を、前記インクカートリッジの前記記憶部に書き込み、
前記制御装置の前記情報読取部は、前記インクカートリッジの前記記憶部に記憶された第１インク消費量を含む第１情報を読み取り、
前記制御装置の前記情報取得部は、前記記録装置から第２インク消費量を含む第２情報を取得し、
前記制御装置の前記情報照合部は、前記情報読取部により読み取られた前記第１情報と、前記情報取得部により取得された前記第２情報とを照合することを特徴とする請求項１に記載の制御システム。
【請求項３】
前記記録装置は、発生したエラーに関するエラー情報を生成するエラー情報生成部をさらに備え、
前記記録装置の前記情報書込部は、前記関連情報として、前記エラー情報生成部により生成された前記エラー情報を、前記インクカートリッジの前記記憶部に書き込み、
前記制御装置の前記情報読取部は、前記インクカートリッジの前記記憶部に記憶された第１エラー情報を読み取り、
前記制御装置の前記情報取得部は、前記記録装置から第２エラー情報を取得し、
前記制御装置の前記情報照合部は、前記情報読取部により読み取られた前記第１エラー情報と、前記情報取得部により取得された前記第２エラー情報とを照合することを特徴とする請求項１に記載の制御システム。
【請求項４】
前記記録装置は、前記インクカートリッジのインク残量を検出する検出部、または、前記記録ヘッドから吐出したインク量に基づき前記インクカートリッジのインク残量を算出する算出部を備え、
前記記録装置の前記情報書込部は、前記検出部または前記算出部により前記インク残量が所定値以下となったことを検知すると、前記関連情報として、インクエンドとなった旨のインクエンド情報を、前記インクカートリッジの前記記憶部に書き込み、
前記制御装置の前記情報読取部は、前記インクカートリッジの前記記憶部に記憶された第１インクエンド情報を読み取り、
前記制御装置の前記情報取得部は、前記記録装置から前記情報書込部により記憶された第２インクエンド情報を取得し、
前記制御装置の前記情報照合部は、前記情報読取部により読み取られた前記第１インクエンド情報と、前記情報取得部により取得された前記第２インクエンド情報とを照合することを特徴とする請求項１に記載の制御システム。
【請求項５】
前記インクカートリッジは、インクを再充填することが可能であることを特徴とする請求項１ないし４のいずれかに記載の制御システム。
【請求項６】
記憶部を有するインクカートリッジを装着する装着部と、
前記インクカートリッジから供給されるインクを記録媒体に付着させることにより記録を行う記録ヘッドと、前記記録に関連する情報である関連情報を前記インクカートリッジの前記記憶部に書き込む情報書込部と、を有する記録装置と接続可能な制御装置であって、
前記インクカートリッジの前記記憶部から第１関連情報を読み取る情報読取部と、
前記記録装置と通信可能なものであり、前記記録装置から前記情報書込部により書き込まれた第２関連情報を取得する情報取得部と、
前記情報読取部により読み取られた前記第１関連情報と、前記情報取得部により取得された前記第２関連情報とを照合する情報照合部と、
前記情報照合部による照合の結果、前記第１関連情報と前記第２関連情報の間の少なくとも一部に同一性があると判別された場合、前記第１関連情報または前記第２関連情報に基づき課金情報を生成する制御部と、を備えることを特徴とする制御装置。
【請求項７】
記憶部を有するインクカートリッジを装着する装着部と、前記インクカートリッジから供給されるインクを記録媒体に付着させることにより記録を行う記録ヘッドと、前記記録に関連する情報である関連情報を前記インクカートリッジの前記記憶部に書き込む情報書込部と、を有する記録装置と接続可能な制御装置の制御方法であって、
前記インクカートリッジの前記記憶部から第１関連情報を読み取り、
前記記録装置から、前記情報書込部により書き込まれた第２関連情報を取得し、
読み取った前記第１関連情報と、取得した前記第２関連情報とを照合し、
前記第１関連情報と前記第２関連情報の間の少なくとも一部に同一性があると判別した場合、前記第１関連情報または前記第２関連情報に基づき課金情報を生成することを特徴とする制御装置の制御方法。
【請求項８】
記憶部を有するインクカートリッジを装着する装着部と、前記インクカートリッジから供給されるインクを記録媒体に付着させることにより記録を行う記録ヘッドと、前記記録に関連する情報である関連情報を前記インクカートリッジの前記記憶部に書き込む情報書込部と、を有する記録装置と接続可能な制御装置の各部を制御するための制御部により実行されるプログラムであって、
前記制御部を、
前記インクカートリッジの前記記憶部から第１関連情報を読み取り、
前記記録装置から、前記情報書込部により書き込まれた第２関連情報を取得し、
読み取った前記第１関連情報と、取得した前記第２関連情報とを照合し、
前記第１関連情報と前記第２関連情報の間の少なくとも一部に同一性があると判別した場合、前記第１関連情報または前記第２関連情報に基づき課金情報を生成するように機能させることを特徴とするプログラム。
【手続補正２】
【補正対象書類名】明細書
【補正対象項目名】０００５
【補正方法】変更
【補正の内容】
【０００５】
上記目的を達成するために、本発明は、記録装置と制御装置とを備える制御システムであって、前記記録装置は、記憶部を有するインクカートリッジを装着する装着部と、前記インクカートリッジから供給されるインクを記録媒体に付着させることにより記録を行う記録ヘッドと、前記インクカートリッジの前記記憶部に記録に関連する情報である関連情報を書き込む情報書込部と、を有し、前記制御装置は、前記インクカートリッジの前記記憶部から前記関連情報を読み取る情報読取部と、前記記録装置から、通信により、前記情報書込部により書き込まれた前記関連情報を取得する情報取得部と、前記情報読取部により読み取られた前記関連情報と、前記情報取得部により取得された前記関連情報とを照合する情報照合部と、を有することを特徴とする。
(適用例１)
記録装置と制御装置とを備える制御システムであって、
前記記録装置は、
記憶部を有するインクカートリッジを装着する装着部と、
前記インクカートリッジから供給されるインクを記録媒体に付着させることにより記録を行う記録ヘッドと、
前記インクカートリッジの前記記憶部に前記記録に関連する情報である関連情報を前記インクカートリッジの前記記憶部に書き込む情報書込部と、を有し、
前記制御装置は、
前記インクカートリッジの前記記憶部から前記第１関連情報を読み取る情報読取部と、
前記記録装置と通信可能なものであり、前記記録装置から、通信により、前記情報書込部により書き込まれた前記第２関連情報を取得する情報取得部と、
前記情報読取部により読み取られた前記第１関連情報と、前記情報取得部により取得された前記第２関連情報とを照合する情報照合部と、
前記情報照合部による照合の結果、前記第１関連情報と前記第２関連情報の間の少なくとも一部に同一性があると判別された場合、前記第１関連情報または前記第２関連情報に基づき課金情報を生成する制御部と、
を有することを特徴とする。
ここで、インクカートリッジの記憶部から読み取られた関連情報と、通信により記録装置から取得された関連情報とは、情報を取得する経路が異なっているだけのため、その内容は一致するはずであり、これら情報が一致しない場合は、いずれかの情報が、エラーや改ざんに起因して、正しい値ではなくなっていると考えられる。
これを踏まえ、上記構成によれば、インクカートリッジの記憶部から読み取られた関連情報と、通信により記録装置から取得された関連情報とが照合されるため、照合の結果に基づいて、取得したいずれかの関連情報に、正しい情報ではない可能性があることを検出可能である。
【手続補正３】
【補正対象書類名】明細書
【補正対象項目名】０００６
【補正方法】変更
【補正の内容】
【０００６】
また、上記発明の制御システムであって、本発明は、前記記録装置は、前記記録ヘッドによる、少なくとも前記記録媒体に付着したインク消費量を検出するインク消費量検出部をさらに備え、前記記録装置の前記情報書込部は、前記関連情報として、前記インク消費量検出部が検出したインク消費量を示す情報を、前記インクカートリッジの前記記憶部に書き込み、前記制御装置の前記情報読取部は、前記インクカートリッジの前記記憶部に記憶された前記インク消費量を示す情報を読み取り、前記制御装置の前記情報取得部は、前記記録装置から、通信により、前記インク消費量を示す情報を取得し、前記制御装置の前記情報照合部は、前記情報読取部により読み取られた前記インク消費量を示す情報と、前記情報取得部により取得された前記インク消費量を示す情報とを照合することを特徴とする。
（適用例２）
前記記録装置は、前記記録ヘッドによる、少なくとも前記記録媒体に付着し消費されたインクを含むインク消費量を検出するインク消費量検出部をさらに備え、
前記記録装置の前記情報書込部は、前記関連情報として、前記インク消費量検出部が検出したインク消費量を含む情報を、前記インクカートリッジの前記記憶部に書き込み、
前記制御装置の前記情報読取部は、前記インクカートリッジの前記記憶部に記憶された第１インク消費量を含む第１情報を読み取り、
前記制御装置の前記情報取得部は、前記記録装置から第２インク消費量を含む第２情報を取得し、
前記制御装置の前記情報照合部は、前記情報読取部により読み取られた前記第１情報と、前記情報取得部により取得された前記第２情報とを照合することを特徴とする。
この構成によれば、取得したインク消費量を示す情報が正しい情報ではない可能性がある場合に、そのことを検出可能である。
特に、制御システムにおいて、インク消費量を示す情報に基づいて課金を行う場合、正しくないインク消費量を示す情報に基づいて、課金が行われることを防止できるため、本発明は、当該システムに非常に有効である。
【手続補正４】
【補正対象書類名】明細書
【補正対象項目名】０００７
【補正方法】変更
【補正の内容】
【０００７】
また、上記発明の制御システムであって、本発明は、前記記録装置は、発生したエラーに関するエラー情報を生成するエラー情報生成部をさらに備え、前記記録装置の前記情報書込部は、前記関連情報として、前記エラー情報生成部により生成された前記エラー情報を、前記インクカートリッジの前記記憶部に書き込み、前記制御装置の前記情報読取部は、前記インクカートリッジの前記記憶部に記憶された前記エラー情報を読み取り、前記制御装置の前記情報取得部は、前記記録装置から、通信により、前記エラー情報を取得し、前記制御装置の前記情報照合部は、前記情報読取部により読み取られた前記エラー情報と、前記情報取得部により取得された前記エラー情報とを照合することを特徴とする。
（適用例３）
前記記録装置は、発生したエラーに関するエラー情報を生成するエラー情報生成部をさらに備え、
前記記録装置の前記情報書込部は、前記関連情報として、前記エラー情報生成部により生成された前記エラー情報を、前記インクカートリッジの前記記憶部に書き込み、
前記制御装置の前記情報読取部は、前記インクカートリッジの前記記憶部に記憶された第１エラー情報を読み取り、
前記制御装置の前記情報取得部は、前記記録装置から第２エラー情報を取得し、
前記制御装置の前記情報照合部は、前記情報読取部により読み取られた前記第１エラー情報と、前記情報取得部により取得された前記第２エラー情報とを照合することを特徴とする。
この構成によれば、取得したエラー情報が正しい情報ではない可能性があることを検出可能である。
特に、制御システムにおいて、エラー情報は、非常に有益な情報である場合があり、この場合、正確なエラー情報を取得したいとするニーズがあるが、本発明により、当該ニーズに適切に応えることができる。
【手続補正５】
【補正対象書類名】明細書
【補正対象項目名】０００９
【補正方法】変更
【補正の内容】
【０００９】
また、上記発明の制御システムであって、本発明は、前記記録装置は、前記インクカートリッジのインク残量を検出する検出部、または、前記記録ヘッドから吐出したインク量に基づき前記インクカートリッジのインク残量を算出する算出部を備え、前記記録装置の前記情報書込部は、前記検出部または前記算出部により前記インク残量が所定値以下となったことを検知すると、インクエンドとなった旨のインクエンド情報を前記記憶部に書き込み、前記制御装置は、前記情報読取部の読み取り結果に基づいて、前記記憶部に前記インクエンド情報が書き込まれているか否か判別し、前記インクエンド情報が書き込まれている場合は、前記インクカートリッジがインクエンドであることを利用した処理を実行することを特徴とする。
（適用例４）
前記記録装置は、前記インクカートリッジのインク残量を検出する検出部、または、前記記録ヘッドから吐出したインク量に基づき前記インクカートリッジのインク残量を算出する算出部を備え、
前記記録装置の前記情報書込部は、前記検出部または前記算出部により前記インク残量が所定値以下となったことを検知すると、前記関連情報として、インクエンドとなった旨のインクエンド情報を、前記インクカートリッジの前記記憶部に書き込み、
前記制御装置の前記情報読取部は、前記インクカートリッジの前記記憶部に記憶された第１インクエンド情報を読み取り、
前記制御装置の前記情報取得部は、前記記録装置から前記情報書込部により記憶された第２インクエンド情報を取得し、
前記制御装置の前記情報照合部は、前記情報読取部により読み取られた前記第１インクエンド情報と、前記情報取得部により取得された前記第２インクエンド情報とを照合することを特徴とする。
（適用例５）
前記インクカートリッジは、インクを再充填することが可能であることを特徴とする。
ここで、検出部は、例えば、インクカートリッジに充填されているインクのインク面の位置をフォトセンサーの透過、非透過により検出することにより、インク残量を検出する。また、算出部は、例えば、記録ヘッドから記録のためにインクを吐出するショット数をカンウトし、カウントしたショット数をインク量に換算し、換算したインク量を、初期充填後のインク量から差し引きすることによりインク残量を算出する。この際、フラッシング等、記録のためではない用途で使用されたインクも考慮して、インク残量を算出する。
そして、上記構成では、インク残量が所定値以下となったインクカートリッジについては、インクエンドとなったことを示すインクエンド情報が記憶部に書き込まれることとなる。このため、制御装置は、インクカートリッジの記憶部にインクエンド情報が書き込まれているか否かにより、当該インクカートリッジがインクエンドであるのか否かを検出できると共に、インクエンドである場合は、インクカートリッジがインクエンドであることを利用した適切な処理を実行できる。例えば、インクエンドとなったインクカートリッジのインク残量はほぼ一定値となるので、制御装置は、この値を事前に記憶しておくことにより、個別にインク残量を取得することなく、簡単にインク残量を推定でき、また、制御装置は、充填後のインク量から、推定されたインク残量を差し引きすることにより、使用したインク量も推定できる。この場合、個別にインク残量を検出したり、インク残量を算出したりする場合と比較して、非常に容易にインク残量を検出することが可能となる。通常、インクエンドとなったインクカートリッジは使用済みのものとして回収されてくるので、インクエンド情報を利用して、各インクカートリッジのインク残量や、インク使用量を推定（算出）することにより、画一的に処理ができ、処理効率が向上すると共に、インク残量や、インク使用量を算出するために要する時間を短縮化できる。
【手続補正６】
【補正対象書類名】明細書
【補正対象項目名】００１０
【補正方法】変更
【補正の内容】
【００１０】
また、上記目的を達成するために、本発明は、記憶部を有するインクカートリッジを装着する装着部と、前記インクカートリッジから供給されるインクを記録媒体に付着させることにより記録を行う記録ヘッドと、前記インクカートリッジの前記記憶部に記録に関連する情報である関連情報を書き込む情報書込部と、を有する記録装置と通信可能に接続される制御装置であって、前記記録装置から、通信により、前記情報書込部により書き込まれた前記関連情報を取得する情報取得部と、前記インクカートリッジの前記記憶部から前記関連情報を読み取る情報読取部と、前記情報読取部により読み取られた前記関連情報と、前記情報取得部により取得された前記関連情報とを照合する情報照合部と、を備えることを特徴とする。
（適用例６）
記憶部を有するインクカートリッジを装着する装着部と、
前記インクカートリッジから供給されるインクを記録媒体に付着させることにより記録を行う記録ヘッドと、前記記録に関連する情報である関連情報を前記インクカートリッジの前記記憶部に書き込む情報書込部と、を有する記録装置と接続可能な制御装置であって、
前記インクカートリッジの前記記憶部から第１関連情報を読み取る情報読取部と、
前記記録装置と通信可能なものであり、前記記録装置から前記情報書込部により書き込まれた第２関連情報を取得する情報取得部と、
前記情報読取部により読み取られた前記第１関連情報と、前記情報取得部により取得された前記第２関連情報とを照合する情報照合部と、
前記情報照合部による照合の結果、前記第１関連情報と前記第２関連情報の間の少なくとも一部に同一性があると判別された場合、前記第１関連情報または前記第２関連情報に基づき課金情報を生成する制御部と、を備えることを特徴とする。
この構成によれば、インクカートリッジの記憶部から読み取られた関連情報と、通信により記録装置から取得された関連情報とが照合されるため、照合の結果に基づいて、取得したいずれかの関連情報に、正しい情報ではない可能性があることを検出可能である。
【手続補正７】
【補正対象書類名】明細書
【補正対象項目名】００１１
【補正方法】変更
【補正の内容】
【００１１】
また、上記目的を達成するために、本発明は、制御装置の制御方法であって、記憶部を有するインクカートリッジを装着する装着部と、前記インクカートリッジから供給されるインクを記録媒体に付着させることにより記録を行う記録ヘッドと、前記インクカートリッジの前記記憶部に記録に関連する情報である関連情報を書き込む情報書込部と、を有する記録装置から、通信により、前記情報書込部により書き込まれた前記関連情報を取得すると共に、前記インクカートリッジの前記記憶部から前記関連情報を読み取り、前記情報読取部により読み取られた前記関連情報と、前記情報取得部により取得された前記関連情報とを照合することを特徴とする。
（適用例７）
記憶部を有するインクカートリッジを装着する装着部と、前記インクカートリッジから供給されるインクを記録媒体に付着させることにより記録を行う記録ヘッドと、前記記録に関連する情報である関連情報を前記インクカートリッジの前記記憶部に書き込む情報書込部と、を有する記録装置と接続可能な制御装置の制御方法であって、
前記インクカートリッジの前記記憶部から第１関連情報を読み取り、
前記記録装置から、前記情報書込部により書き込まれた第２関連情報を取得し、
読み取った前記第１関連情報と、取得した前記第２関連情報とを照合し、
前記第１関連情報と前記第２関連情報の間の少なくとも一部に同一性があると判別した場合、前記第１関連情報または前記第２関連情報に基づき課金情報を生成することを特徴とする。
この制御方法によれば、インクカートリッジの記憶部から読み取られた関連情報と、通信により記録装置から取得された関連情報とが照合されるため、照合の結果に基づいて、取得したいずれかの関連情報に、正しい情報ではない可能性があることを検出可能である。
【手続補正８】
【補正対象書類名】明細書
【補正対象項目名】００１２
【補正方法】変更
【補正の内容】
【００１２】
また、上記目的を達成するために、本発明は、制御装置の各部を制御するための制御部により実行されるプログラムであって、前記制御部を、記憶部を有するインクカートリッジを装着する装着部と、前記インクカートリッジから供給されるインクを記録媒体に付着させることにより記録を行う記録ヘッドと、前記インクカートリッジの前記記憶部に記録に関連する情報である関連情報を書き込む情報書込部と、を有する記録装置から、通信により、前記情報書込部よりに書き込まれた前記関連情報を取得する情報取得部と、前記インクカートリッジの前記記憶部から前記関連情報を読み取る情報読取部と、前記情報読取部により読み取られた前記関連情報と、前記情報取得部により取得された前記関連情報とを照合する情報照合部と、として機能させることを特徴とする。
（適用例８）
記憶部を有するインクカートリッジを装着する装着部と、前記インクカートリッジから供給されるインクを記録媒体に付着させることにより記録を行う記録ヘッドと、前記記録に関連する情報である関連情報を前記インクカートリッジの前記記憶部に書き込む情報書込部と、を有する記録装置と接続可能な制御装置の各部を制御するための制御部により実行されるプログラムであって、
前記制御部を、
前記インクカートリッジの前記記憶部から第１関連情報を読み取り、
前記記録装置から、前記情報書込部により書き込まれた第２関連情報を取得し、
読み取った前記第１関連情報と、取得した前記第２関連情報とを照合し、
前記第１関連情報と前記第２関連情報の間の少なくとも一部に同一性があると判別した場合、前記第１関連情報または前記第２関連情報に基づき課金情報を生成するように機能させることを特徴とする。
このプログラムを実行すれば、インクカートリッジの記憶部から読み取られた関連情報と、通信により記録装置から取得された関連情報とが照合されるため、照合の結果に基づいて、取得したいずれかの関連情報に、正しい情報ではない可能性があることを検出可能である。